(57)【要約】【課題】ワイヤハーネスから分岐した分岐電線端末のジョイントコネクタを収容すると共に、導通検査の作業性が良いプロテクタを提供する。【解決手段】プロテクタ２１は、ワイヤハーネスＷ／Ｈと共に、該ワイヤハーネスＷ／Ｈから分岐した分岐電線２６端末のジョイントコネクタ３０を収容するプロテクタ本体２２と、該プロテクタ本体２２の上方開口を覆う蓋体２３とから成る。プロテクタ本体２２の側壁と蓋体２３とを切り欠いたコネクタ窓２５に、開閉ドア２７を開閉自在に設ける。開閉ドア２７を閉じた際には、開閉ドア２７の内側に設けた係合保持部２４が、ジョイントコネクタ３０をプロテクタ本体２２内のコネクタ収容部４１に押圧付勢して位置決め固定する。【選択図】        図１
2004229350.tif 000002
【特許請求の範囲】
【請求項１】
ワイヤハーネスと共に、該ワイヤハーネスから分岐した分岐電線端末のジョイントコネクタを収容するプロテクタ本体と、該プロテクタ本体の上方開口を覆う蓋体とから成るプロテクタであって、
前記プロテクタ本体及び前記蓋体の少なくとも一方に、前記ジョイントコネクタ引出し用のコネクタ窓を設けると共に、前記コネクタ窓に、開閉ドアを開閉自在に設け、
前記開閉ドアを閉じた際には、前記開閉ドアの内側に設けた係合保持部が、前記ジョイントコネクタをプロテクタ本体内の所定位置に押圧付勢して位置決め固定することを特徴とするプロテクタ。
【発明の詳細な説明】
【０００１】
【発明の属する技術分野】
本発明はプロテクタに関し、詳しくはワイヤハーネスと共に、該ワイヤハーネスから分岐した分岐電線端末のジョイントコネクタを収容するプロテクタに関する。
【０００２】
【従来の技術】
従来より、ワイヤハーネスから分岐した分岐電線端末のジョイントコネクタを、ワイヤハーネスと共に収容して保護するプロテクタが提案されている（例えば、特許文献１）。
図４に示すように、プロテクタ１は、ワイヤハーネスＷ／Ｈを貫通収納するＵ字溝体のプロテクタ本体２と、該の上方開口部を覆うように組付けられる蓋体３とから成り、プロテクタ本体２の内部には、ワイヤハーネスＷ／Ｈから分岐した分岐電線６の端末に接続されたジョイントコネクタ１６が収容される。
【０００３】
前記蓋体３の上面には、該蓋体３を打ち抜いたコネクタ窓９が設けられ、このコネクタ窓９には、薄肉ヒンジ１１を介して開閉自在になり、且つ、前記ジョイントコネクタ１６をセット保持するジョイントコネクタホルダー１７を内側に有する開閉ドア１０が設けられている。
【０００４】
即ち、前記コネクタ窓９は、ジョイントコネクタ１６の導通検査を行う時、開閉ドア１０を開くことによって、開閉ドア１０のジョイントコネクタホルダー１７にセット保持したジョイントコネクタ１６をプロテクタ１の外側へ引出して直ちに検査できるようにしたもので、通常の状態では、開閉ドア１０は閉鎖されている。
【０００５】
そこで、前記プロテクタ１は、ジョイントコネクタ１６の導通検査の時には、その開閉ドア１０を開くだけで、ジョイントコネクタ１６がプロテクタ本体２の外側に現れるので、従来の蓋体３の脱着は無用になり、ジョイントコネクタ１６の導通検査の一連のプロセスが極めて簡素になる。
従って、ワイヤハーネスの組立ラインで蓋体を覆着して、後工程の検査ラインへ移送することができるので、蓋体未着移送に基づく電線損傷等のライントラブルが防止できると共に、ワイヤハーネスの成形組立後の導通検査が容易に行える。
【０００６】
【特許文献１】
特開平８−２２３７３７号公報
【０００７】
【発明が解決しようとする課題】
しかしながら、上述したプロテクタ１は、ジョイントコネクタ１６が開閉ドア１０の内側に設けたジョイントコネクタホルダー１７にセット保持されている。
そこで、導通検査を行う際にも、ジョイントコネクタ１６が開閉ドア１０の内側にセット保持されたままの状態であり、該ジョイントコネクタ１６に対する検査用コネクタの着脱操作や導通チェック用プローブの操作範囲が制限され、作業性が良くないという問題がある。
従って、本発明の目的は上記課題を解消することに係り、ワイヤハーネスから分岐した分岐電線端末のジョイントコネクタを収容すると共に、導通検査の作業性が良いプロテクタを提供することである。
【０００８】
【課題を解決するための手段】
本発明の上記目的は、ワイヤハーネスと共に、該ワイヤハーネスから分岐した分岐電線端末のジョイントコネクタを収容するプロテクタ本体と、該プロテクタ本体の上方開口を覆う蓋体とから成るプロテクタであって、
前記プロテクタ本体及び前記蓋体の少なくとも一方に、前記ジョイントコネクタ引出し用のコネクタ窓を設けると共に、前記コネクタ窓に、開閉ドアを開閉自在に設け、
前記開閉ドアを閉じた際には、前記開閉ドアの内側に設けた係合保持部が、前記ジョイントコネクタをプロテクタ本体内の所定位置に押圧付勢して位置決め固定することを特徴とするプロテクタにより達成される。
【０００９】
上記構成のプロテクタによれば、導通検査を行う際には、開閉ドアを開けることでジョイントコネクタがコネクタ窓から引出し自在となるので、該ジョイントコネクタに対する検査用コネクタの着脱操作や導通チェック用プローブの操作自由度が高まり、作業性が向上する。
【００１０】
又、導通検査を行った後には、前記ジョイントコネクタをコネクタ窓からプロテクタ本体内に戻し、開閉ドアを閉じるだけで、該ジョイントコネクタは開閉ドアの内側に設けた係合保持部によりプロテクタ本体内の所定位置に押圧付勢されて位置決め固定される。
従って、導通検査の一連のプロセスが簡素になると共に、導通検査の作業性が向上する。
【００１１】
【発明の実施の形態】
以下、添付図面に基づいて本発明の一実施形態に係るプロテクタを詳細に説明する。
図１は本発明の一実施形態に係るプロテクタの斜視図であり、図２は図１に示したジョイントコネクタの導通検査状態を示す斜視図であり、図３はジョイントコネクタをプロテクタ内に収容した状態を示す横断面図である。
【００１２】
本実施形態のプロテクタ２１は、図１に示すように、自動車等のワイヤハーネスＷ／Ｈを収容する断面Ｕ字状のプロテクタ本体２２と、このプロテクタ本体２２の上方開口を覆う蓋体２３とから構成されている。そして、一対の構成部材であるプロテクタ本体２２及び蓋体２３は、それぞれ絶縁性の合成樹脂によって一体成形されている。
【００１３】
前記プロテクタ本体２２の内部には、図３に示すように、ワイヤハーネスＷ／Ｈを収容するワイヤハーネス収容部４２と、該ワイヤハーネスＷ／Ｈから分岐した分岐電線２６の端末に接続されたジョイントコネクタ３０を収容するコネクタ収容部４１とが設けられている。
前記コネクタ収容部４１に対応するプロテクタ２１には、前記プロテクタ本体２２の側壁と前記蓋体２３とを切り欠いたコネクタ窓２５が設けられ、このコネクタ窓２５には、薄肉ヒンジ３１を介して開閉自在に開閉ドア２７が設けられている。
【００１４】
前記コネクタ窓２５は、前記ジョイントコネクタ３０の導通検査をする時、開閉ドア２７を開くことによって、コネクタ収容部４１に収容された引出し可能としたものであり、通常の状態では開閉ドア２７は閉鎖されている。
断面Ｌ字形のカバーである前記開閉ドア２７は、揺動側先端に挿入片２８が突設されており、該挿入片２８をプロテクタ本体２２の係合枠２９に係合させることにより、前記コネクタ窓２５を閉塞状態にロックする。
【００１５】
更に、前記開閉ドア２７の内側には、前記ジョイントコネクタ３０をプロテクタ本体２２内の所定位置に設けた複数の位置決めリブ３５に押圧付勢して位置決め固定する為の係合保持部２４が突設されている。
前記コネクタ収容部４１内に適宜突設された前記位置決めリブ３５は、該コネクタ収容部４１内での前記ジョイントコネクタ３０の水平方向の移動を規制するものである。
【００１６】
即ち、本実施形態のプロテクタ２１によれば、導通検査を行う際には、図２に示したように、開閉ドア２７を開けることで、ジョイントコネクタ３０がコネクタ窓２５から引出し自在となり、コネクタの向きを自由に変えることができる。そこで、例えば前記ジョイントコネクタ３０に対する導通チェック用プローブ５０の操作自由度が高まり、検査作業性が向上する。
【００１７】
又、導通検査を行った後には、前記ジョイントコネクタ３０をコネクタ窓２５からコネクタ収容部４１内に戻し、開閉ドア２７を閉じるだけで、図３に示したように、前記ジョイントコネクタ３０は開閉ドア２７の内側に設けた係合保持部２４により、コネクタ収容部４１内に設けた複数の位置決めリブ３５に対して押圧付勢されて位置決め固定される。
【００１８】
即ち、前記係合保持部２４は、弾性変形可能な開閉ドア２７に突設されており、前記ジョイントコネクタ３０を弾性的に押圧付勢することができるので、ガタつきも生じない。又、係合保持部２４自体を弾性変形可能な形状に形成したり、弾性部材を別に用意して配置することもできる。
従って、本実施形態のプロテクタ２１によれば、導通検査の一連のプロセスが簡素になると共に、導通検査の作業性が向上する。
【００１９】
尚、本発明のプロテクタは、上記実施形態の構成に限定されるものではなく、プロテクタ本体、蓋体、ジョイントコネクタ、コネクタ窓、開閉ドア及び係合保持部等の構成は、本発明の趣旨に基づいて種々の形態を採り得ることは言うまでもない。
例えば、本発明に係る係合保持部は、上記実施形態における係合保持部２４のような突起である必要はなく、開閉ドアの内面がジョイントコネクタの少なくとも一部を直接押圧付勢して位置決め固定するものでも良い。
【００２０】
【発明の効果】
上述した如き本発明のプロテクタによれば、導通検査を行う際には、開閉ドアを開けることでジョイントコネクタがコネクタ窓から引出し自在となるので、該ジョイントコネクタに対する検査用コネクタの着脱操作や導通チェック用プローブの操作自由度が高まり、作業性が向上する。
【００２１】
又、導通検査を行った後には、前記ジョイントコネクタをコネクタ窓からプロテクタ本体内に戻し、開閉ドアを閉じるだけで、該ジョイントコネクタは開閉ドアの内側に設けた係合保持部によりプロテクタ本体内の所定位置に押圧付勢されて位置決め固定される。
従って、導通検査の一連のプロセスが簡素になると共に、導通検査の作業性が向上する。
【図面の簡単な説明】
【図１】本発明の一実施形態に係るプロテクタの斜視図である。
【図２】図１に示したジョイントコネクタの導通検査状態を示す斜視図である。
【図３】ジョイントコネクタをプロテクタ内に収容した状態を示す横断面図である。
【図４】従来のプロテクタを示す斜視図である。
【符号の説明】
２１    プロテクタ
２２    プロテクタ本体
２３    蓋体
２４    係合保持部
２５    コネクタ窓
２６    分岐電線
２７    開閉ドア
３０    ジョイントコネクタ
Ｗ／Ｈ  ワイヤハーネス
【図１】
2004229350.tif 000003
【図２】
2004229350.tif 000004
【図３】
2004229350.tif 000005
【図４】
2004229350.tif 000006